(57)【要約】【課題】エネルギー消費効率優先モードでは、目標電力量の範囲内であっても印刷が実行されないため、利便性が低下するという課題がある。【解決手段】画像形成装置とそれに接続される装置がもつそれぞれの機能ごとに、機能自身が消費する消費電力量の情報をもつ。ユーザーが投入した印刷原稿ごとに、装置がもつそれぞれの機器ごとの消費電力量の情報を使って消費予測電力量を算出する。そして画像形成装置の累積消費電力量と消費予測電力量の和から印刷ジョブの出力の有無を判定し、結果をもとに出力可能なジョブを入れ替えて出力処理する。【選択図】  図４
2015166950.tif 000002
【特許請求の範囲】
【請求項１】
ユーザーが印刷原稿を印刷出力できる画像形成装置において、
画像形成装置とそれに接続される装置がもつ機能ごとに消費される消費電力量の情報を保持する消費電力量情報保持手段（５０１）と、
ユーザーが投入した印刷原稿ごとに消費電力量情報保持手段（５０１）で保持されている消費電力量情報を使って消費予測電力量を算出する消費予測電力量算出手段（Ｓ８０３）と、
累積消費電力量と消費予測電力量算出手段（Ｓ８０３）で算出した消費予測電力量の和が使用可能電力量の範囲以内にあることを判定する判定手段（Ｓ８０５）と、
判定手段で判定された結果をもとに、印刷ジョブの出力の有無を決定する決定手段（Ｓ８０６）と、
決定手段によって決定された結果をもとに出力処理する出力手段（Ｓ８０７）と、
決定手段によって決定された結果をもとに出力できない印刷ジョブの設定変更判定する設定変更判定手段（Ｓ１５０３）と、
前記設定変更判定手段によって変更可能と判断されたら、変更可能な機能を表示する変更可能機能表示手段（Ｓ１５０４）と、
前記変更可能機能表示手段（Ｓ１５０４）によって表示された機能にユーザーが変更した場合、印刷ジョブを変更する印刷ジョブ変更手段（Ｓ１５０５）と、
変更されたジョブを出力する出力手段（Ｓ１５０７）と、
を持つことを特徴とする画像形成装置。
【請求項２】
前記消費電力量の情報は、画像形成装置に接続される装備およびその装備がもつ機能ごとに消費される消費電力量の一覧であることを特徴とする請求項１に記載の画像形成装置。
【請求項３】
前記累積消費電力量は、ある時点においてそれまでに使用された消費電力量の総計を示すことを特徴とする請求項１に記載の画像形成装置。
【請求項４】
ユーザーが印刷原稿を印刷出力できる画像形成装置において、
画像形成装置とそれに接続される装置がもつ機能ごとに消費される消費電力量の情報を保持する消費電力量情報保持手段（５０１）と、
ユーザーが投入した印刷原稿ごとに消費電力量情報保持手段（５０１）で保持されている消費電力量情報を使って消費予測電力量を算出する消費予測電力量算出手段（Ｓ８０３）と、
累積消費電力量と消費予測電力量算出手段（４３５）で算出した消費予測電力量の和が使用可能電力量の範囲以内にあることを判定する判定手段（Ｓ８０５）と、
判定手段で判定された結果をもとに、印刷ジョブの出力の有無を決定する決定手段（Ｓ８０６）と、
決定手段によって決定された結果をもとに出力処理する出力手段（Ｓ８０７）と、
決定手段によって決定された結果をもとに出力できない印刷ジョブはデータ記憶手段に保持するデータ保持手段（Ｓ１１０２）と、
印刷ジョブの属性によって画像形成装置内の記憶装置に保持できないデータはキャンセル処理するキャンセル手段（Ｓ１１０３）と、
を持つことを特徴とする画像形成装置。
【請求項５】
前記印刷ジョブの属性によって画像形成装置内の記憶装置に保持できないデータとは、印刷セキュリティ機能を有した印刷ジョブであることを特徴とする請求項４に記載の画像形成装置。
【発明の詳細な説明】
【技術分野】
【０００１】
本発明は、印刷ジョブの出力を実行する画像形成装置システムの電源制御方法およびそのプログラムに関するものである。
【背景技術】
【０００２】
最近の電子写真方式の印刷装置やインクジェット方式の印刷装置の高速化、高画質化に伴い、印刷業界に対抗して、プリント・オン・ディマンド（Ｐｒｉｎｔ  Ｏｎ  Ｄｅｍａｎｄ：以下、ＰＯＤと表記する。）と呼ばれるデジタル複写機やデジタル複合機等のデジタル画像形成装置を用いる市場が伸びている。この市場では印刷装置で扱うジョブより比較的小ロットのジョブを、大掛かりな装置、システムを用いずに、短い納期で商業的印刷業界と同等の仕上がりを備えた出力物を取り扱えることを目指している。そしてこの市場では、従来の商業的印刷業界に比べて印刷方式のデジタル化が進み、コンピュータを利用した版下管理や印刷物の出力制御管理が行われている。例えば近年のデジタル画像形成装置は出力制御管理が高性能化し、印刷ジョブ単位での各種処理が可能となり、１つの印刷ジョブで複数の出力方法を実現することも可能となっている。
【０００３】
一方、昨今の電力事情に起因する電力の有効利用の強化に伴い、デジタル画像形成装置にも電力を有効利用する機能の搭載が要望されている。この市場においては、デジタル画像形成装置の電力の有効利用だけでなく、装置全体の使用方法も見える化し、ユーザーが無理せず効果的な電力利用ができる方法の実現が行われている。例えば、デジタル画像形成装置自身の消費電力量・排出ＣＯ２量を表示するソフトウェアの開発が行われている。使用量の表示（見える化）することによって、ユーザーへの注意喚起や利用計画の見直しを行い、装置の電力面の有効利用だけでなく、ユーザーの使用面からも電力の有効利用を計っている。
【０００４】
また一方、デジタル画像形成装置の電力管理システムとして、期間内に使用できるシステム全体の目標電力量に応じて、目標電力量に納まるようにデジタル画像形成装置の動作方法を変更する装置がある。
【０００５】
下記特許文献１では、消費電力量を計算し、時間帯で画像形成装置の動作モードを変更する装置およびその方法が記載されている。
【先行技術文献】
【特許文献】
【０００６】
【特許文献１】特開２００４−００７４５０号公報
【発明の概要】
【発明が解決しようとする課題】
【０００７】
しかしながら、上記画像形成装置に搭載されている消費電力量制御機能は、過去の消費電力量の履歴と実行中のジョブから消費電力量を計測し、エネルギー消費効率が最も良くなるようにＭＦＰの動作モードを切り替えている。
【０００８】
そのためエネルギー消費効率優先モードでは、目標電力量の範囲内であっても印刷が実行されないため、利便性が低下するという課題がある。この課題を解決し利便性の向上を図ることが要望されている。
【課題を解決するための手段】
【０００９】
本発明の構成は、
ユーザーが印刷原稿を印刷出力できる画像形成装置において、画像形成装置とそれに接続される装置がもつ機能ごとに消費される消費電力量の情報を保持する消費電力量情報保持手段（５０１）をもつ。
ユーザーが投入した印刷原稿ごとに消費電力量情報保持手段（５０１）で保持されている消費電力量情報を使って消費予測電力量を算出する消費予測電力量算出手段（Ｓ８０３）をもつ。
累積消費電力量と消費予測電力量算出手段（Ｓ８０３）で算出した消費予測電力量の和が使用可能電力量の範囲以内にあることを判定する判定手段（Ｓ８０５）をもつ。
また判定手段（Ｓ８０５）で判定された結果をもとに、印刷ジョブの出力の有無を決定する決定手段（Ｓ８０６）と、決定手段（Ｓ８０６）によって決定された結果をもとに出力処理する出力手段（Ｓ８０７）をもつ。
そして決定手段によって決定された結果をもとに出力できない印刷ジョブの設定変更判定する設定変更判定手段（Ｓ１５０３）をもつ。
前記設定変更判定手段によって変更可能と判断されたら、変更可能な機能を表示する変更可能機能表示手段（Ｓ１５０４）をもつ。
前記変更可能機能表示手段（Ｓ１５０４）によって表示された機能にユーザーが変更した場合、印刷ジョブを変更する印刷ジョブ変更手段（Ｓ１５０５）をもつ。
そして変更されたジョブを出力する出力手段（Ｓ１５０７）を備えることを特徴とする。
【発明の効果】
【００１０】
本発明によれば、利便性を保ったまま使用可能電力量の限界まで原稿を出力することができる。また使用可能電力量の上限を設けることによって、電力の使い過ぎの抑制をすることができる。
【図面の簡単な説明】
【００１１】
【図１】システム全体を示す図である。
【図２】画像形成装置１２０のハードウェア構成を示す図である。
【図３】画像形成装置１２０のハードウェア構成を示す図その２である。
【図４】画像形成装置１２０のシステム構成を示すブロック図である。
【図５】消費する電力量を示す一覧を示す図である。
【図６】操作部４４０で表示される画面ＵＩの詳細画面を示す図である。
【図７】画像形成装置１２０における消費予測電力量の算出式を示す図である。
【図８】本実施例１の制御処理手順を表すフローチャートを示す図である。
【図９】本実施例１のジョブの消費予測電力量  計算を表すフローチャートを示す図である。
【図１０】本実施例１の出力例を示す図である。
【図１１】本実施例２の制御処理手順を表すフローチャートを示す図である。
【図１２】本実施例２の出力例１２０１を示す図である。
【図１３】画像形成装置１２０における消費予測電力量の算出方法を示す図である。
【図１４】画像形成装置１２０における消費予測電力量の算出一覧を示す図である。
【図１５】本実施例３の制御処理手順を表すフローチャートを示す図である。
【図１６】本実施例３の変更できるフィニッシング機能の一覧を示す設定変更画面を示す図である。
【図１７】本実施例３の出力例１７０１を示す図である。
【発明を実施するための形態】
【００１２】
以下、本発明を実施するための形態について図面を用いて説明する。
【実施例１】
【００１３】
まずは構成を説明する。
【００１４】
図１は、本システム全体を示す図である。
【００１５】
本システムは、一つまたは複数のエンドユーザー環境１００と、プライベートネットワーク環境１１０を介して接続している印刷形成装置１２０から構成している。
【００１６】
エンドユーザー環境１００では、ユーザーが作成した原稿のデータ作成・原稿訂正や、出力中の原稿の状況確認などをする。
【００１７】
一方画像形成装置１２０は、入力としては原稿読取装置から読み取った紙原稿を文書／画像データとして取り込む方法とエンドユーザー環境１００で作成した原稿を受信する方法を持つ。出力としては画像形成装置１２０内に保持された記録メディアに出力する。画像形成装置１２０は、入力された原稿データを出力する際に、画像補正やファイルのマージやページの挿入／削除や各種ページレイアウト編集や面付け処理をする機能をもつ。また出力と同時に、印刷ジョブ中の作業指示に従って、出力された記録メディアに対して、紙折り、中綴じ製本、くるみ製本、断裁、封入、帳合等の仕上げ処理をする機能をもつ。エンドユーザー環境１００および原稿読取装置を備えた画像形成装置１２０にユーザーが作成・編集した原稿を投入することによって成果物が出力される。
【００１８】
［画像形成装置１２０］
次に画像形成装置１２０のハードウェア構成について説明する。
【００１９】
図２と図３は画像形成装置１２０のハードウェア構成を示す模式図である。
【００２０】
画像形成装置１２０は、搬送経路２０１と用紙反転搬送経路２０２、感光体２０３、現像装置２０４、給紙ユニット搬送経路２００ａ〜２００ｂ、給紙段ユニット２１０ａ〜２１０ｋ、排紙ユニット搬送経路３００ａ〜３００ｄ、排紙段ユニット３１０ａ〜３１０ｆ、フィニッシングユニット３２０ａ〜３２０ｅから構成される。
【００２１】
画像形成装置１２０の搬送経路２０１は、給紙段ユニット２１０の給紙ユニット搬送経路２００から、排紙ユニット搬送経路３００を経て排紙段ユニット３１０ａ〜３１０ｋまで接続されている。
【００２２】
画像形成装置１２０に印刷原稿が投入されると、後述するＲＯＭ４１２に格納された制御プログラムに基づいて、後述するＣＰＵ４１１は給紙段ユニット２１０ａ〜２１０ｂから記録メディアを給紙するよう後述する給紙部４３２に指示をする。そして指示を受けた給紙部４３２は給紙段ユニット２１０ａ〜２１０ｋから所望の記録メディアを給紙し給紙ユニット搬送経路２００ａ〜２００ｂに送る。
【００２３】
ＲＯＭ４１２に格納された制御プログラムに基づいてＣＰＵ４１１は、給紙ユニット搬送経路２００ａ〜２００ｂに到達した記録メディアを搬送経路２０１に送り、感光体２０３および現像装置２０４を通過させることにより印刷原稿を記録メディアに現像する。記録メディアの片面に現像を行う場合は、感光体２０３および現像装置２０４を一度通過させることによって現像される。記録メディアの両面に現像を行う場合は、記録メディアの片面の現像後に用紙反転搬送経路２０２を通過させ、記録メディアの印刷面を反転させたあと、再び感光体２０３および現像装置２０４を通過させることによって両面に現像される。
【００２４】
そして次にＣＰＵ４１１は、ＲＯＭ４１２に格納された制御プログラムに基づいて、記録メディアを排紙ユニット搬送経路３００に送ると同時に、後述する排紙部４３３に排出先である排紙段ユニット３１０に記録メディアを送るように指示する。
【００２５】
そして指示を受けた排紙部４３３は記録メディアを排紙ユニット搬送経路３００から排紙段ユニット３１０に送る。
【００２６】
このときＲＯＭ４１２に格納された制御プログラムに基づいてＣＰＵ４１１が、フィニッシング処理の指示を受けている場合は、フィニッシング処理をする。
【００２７】
フィニッシング処理は排紙ユニット搬送経路３００の途中にある排紙部４３３のフィニッシングユニット３２０で記録メディアに対して紙折り、中綴じ製本、くるみ製本、断裁、封入、帳合等の仕上げ処理をする。
【００２８】
［画像形成装置１２０のシステム構成］
次に画像形成装置１２０のシステム構成について説明する。
【００２９】
図４は、画像形成装置１２０のシステム構成を示すブロック図である。
画像形成装置１２０はスキャン部４００、本体制御部４１０、ＰＤＬ処理部４２０、画像出力部４３０、操作部４４０、データ記憶部４５０、ネットワーク制御部４６０から構成している。さらにスキャン部４００は原稿給紙ユニット４０１と原稿読取部４０２から構成している。本体制御部４１０はＣｅｎｔｒａｌ  Ｐｒｏｃｅｓｓｉｎｇ  Ｕｎｉｔ  （中央処理装置。以下ＣＰＵ４１１と記す）、Ｒｅａｄ  Ｏｎｌｙ  Ｍｅｍｏｒｙ  （読出専用メモリ。以下ＲＯＭ４１２と記す）、Ｒａｎｄｏｍ  Ａｃｃｅｓｓ  Ｍｅｍｏｒｙ（読書専用メモリ。以下ＲＡＭ４１３と記す）から構成している。画像出力部４３０は画像形成部４３１、給紙部４３２、排紙部４３３、機能・装備管理部４３４、消費電力処理部４３５から構成している。
【００３０】
スキャン部４００はユーザーが原稿給紙ユニット４０１に置いた原稿を、操作部４４０から入力された複写・画像形成の指示に従い、ＣＰＵ４１１は原稿読取部４０２を使って原稿を読み取る。
【００３１】
本体制御部４１０はシステム全体を制御するコントローラであるＣＰＵ４１１とシステムを動作させるプログラムを保持するＲＯＭ４１２とＣＰＵ４１１が動作するためのシステムワークメモリであるＲＡＭ４１３から構成されている。ＲＯＭ４１２に格納されたプログラムに基づいて本体制御部４１０のＣＰＵ４１１がスキャン部４００やＰＤＬ処理部４２０、画像出力部４３０、操作部４４０、データ記憶部４５０の制御と後述する消費電力量制御プログラムの制御を行う。
【００３２】
ＰＤＬ処理部４２０は、エンドユーザー環境１００で作成されたＰＤＬ（Ｐａｇｅ  Ｄｅｓｃｒｉｐｔｉｏｎ  Ｌａｎｇｕａｇｅ：以下、ＰＤＬと表記する。）データを画像形成装置１２０が受信した場合、ＲＯＭ４１２に格納された出力制御プログラムに基づいたＣＰＵ４１１の指示により、受信したＰＤＬデータから印刷データを生成する。
【００３３】
画像出力部４３０は、入力部であるスキャン部４００やＰＤＬ処理部４２０から入力されたデータを出力する場合、ＲＯＭ４１２に格納された出力制御プログラムに基づいたＣＰＵ４１１の指示により、画像補正やファイル合成の各種面付処理をする。
【００３４】
そしてＣＰＵ４１１はＲＯＭ４１２に格納された出力制御プログラムに基づいて、給紙部４３２と排紙部４３３を動作させて、入力されたデータが必要とする所望の記録メディアを給紙部４３２から取り出し、画像形成部４３１に送る。次にＣＰＵ４１１はＲＯＭ４１２に格納された出力制御プログラムに基づいて、画像形成部４３１で画像形成し、排紙部４３３に送る。排紙部４３３では、ＣＰＵ４１１がＲＯＭ４１２に格納された出力制御プログラムに基づいて、記録メディアに対して紙折り、中綴じ製本、くるみ製本、断裁、封入、帳合等の仕上げ処理をする。
【００３５】
機能・装備管理部４３４は、画像形成装置１２０の給紙装置及び後処理装置の管理をする。画像形成装置１２０は複数の後処理装置および複数の給紙装置と接続できるため、動作中の画像形成装置１２０にどのような装置が接続された状態にあるかを管理している。また画像形成装置１２０に接続する複数の後処理装置および複数の給紙装置にどのような機能が搭載されているか管理している。
【００３６】
消費電力処理部４３５は、画像形成部４３１及び給紙部４３２、排紙部４３３で消費された電力量の集計や、画像形成装置１２０に接続されている複数の給紙装置と後処理装置の各機能が消費する電力量の情報を集計・管理をする。
【００３７】
操作部４４０は、本発明の画像形成装置１２０の操作部である。本体制御部４１０のＣＰＵ４１１は、ユーザーの入力が操作部４４０からされたことを検出すると、キー情報をＲＡＭ４１３に送る。ＣＰＵ４１１はＲＯＭ４１２に格納された制御プログラムを実行する場合に、ＲＡＭ４１３に保持したキー情報を使ってシステム全体の制御をする。
【００３８】
データ記憶部４５０は、システムソフトウェアや画像データなどを格納している。
【００３９】
ネットワーク制御部４６０は、プライベートネットワーク環境１１０を介してエンドユーザー環境１００の装置と通信を行うための制御をする。
【００４０】
［消費予測電力量の算出］
次にシステム構成上で動作する消費電力量の予測の算出ロジックについて説明する。
【００４１】
図５と図６および図７は画像形成装置１２０における消費予測電力量の算出を示す図である。
【００４２】
図５は、画像形成装置１２０が保持する自身がもつ機能が消費する消費電力量をまとめた一覧５０１である。
【００４３】
消費電力量一覧５０１は、縦軸に現在接続されている画像形成装置１２０で利用可能な機能が配置され、横軸に画像形成装置１２０に接続されている複数の給紙装置および後処理装置の一覧が配置されている。この一覧は画像形成装置１２０に接続されている給紙装置および後処理装置がもつ利用可能な機能がどのくらいの消費電力量をもつかを示している。
【００４４】
例えば、画像形成装置１２０でＰＯＤデッキから給紙した記録メディアを使ってくるみ製本を行いたい場合は、以下の消費電力量が消費されることを意味する。
【００４５】
印刷に４００Ｗｘ出力時間（５０２）、給紙装置であるＰＯＤデッキから給紙に２５０Ｗｘ出力時間（５０３）、くるみ製本機能に３００Ｗｘ出力時間（５０４）である。
【００４６】
そして消費電力量一覧５０１は、画像形成装置１２０の複数の給紙装置および後処理装置の接続状況の変化を検出した機能・装備管理部４３４が定期的に更新する。
【００４７】
図６は操作部４４０で表示される画面ＵＩの詳細画面である。詳細画面はコンテンツ一覧６００とコンテンツ選択キー６０１〜６０３から構成している。節電出力モードの変更欄６０１は使用可能電力量の上限に達した時の動作を設定する項目である。目標時刻の設定欄６０２は累計消費電力量の集計期間を設定する項目である。設定された集計期間が経過するたびに、累計消費電力量はリセットされる。
【００４８】
使用可能電力量設定欄６０３は、目標時刻の設定欄６０２で設定された期間に使用可能な電力量の設定値を設定する項目である。登録した使用可能電力値はＲＯＭ４１２に格納された制御プログラムに基づいてＣＰＵ４１１が、データ記憶部４５０に保存し、後述する消費予測電力量の計算の時に読みだして使用する。
【００４９】
図７は画像形成装置１２０の消費電力値の算出を示す図である。式７０１、式７０２、式７０３は、画像形成装置１２０に投入された印刷原稿に指示された出力方法で出力した場合に消費される消費電力量の予想値を算出する数式である。
【００５０】
式７０１は、印刷原稿を出力に要する出力時間を示す。例えば、画像形成装置１２０が１００ＰＰＭの速度で出力する装置のときに、１００ページの印刷原稿が投入された場合、出力時間は
Ｐａｇｅ数  ÷  ＰＰＭ  ÷  ６０（分）  ＝  １００頁  ／  １００ＰＰＭ  ／  ６０分  ＝  １／６０時間
となる。
【００５１】
式７０２は、画像形成装置１２０が印刷原稿を消費する消費電力量を示す。例えば画像形成装置１２０が１００ＰＰＭの速度で出力する装置のときに、ＰＯＤデッキ内に保持されている記録メディアを使って１００ページの印刷原稿をステープル製本として出力する場合、
（ＰＯＤデッキから給紙にかかる電力量Ｘ出力時間）＋（印刷にかかる電力量Ｘ出力時間）＋（ステープル製本処理ができる後処理装置までに通過する４つの装置の搬送電力量Ｘ出力時間）＋（（Ｆｉｎｉｓｈｉｎｇで使用する電力量と排紙トレイ出力時の電力量）Ｘ出力時間）＝（２５０Ｗ  ｘ  １／６０）＋（４００Ｗ  ｘ  １／６０）＋（５０Ｗ  ｘ  ４つの装置ｘ  １／６０）  ＋  （（２０Ｗ＋１５０Ｗ）  ｘ  １／６０）  ＝１７Ｗｈ
となる。
【００５２】
式７０３は、式７０２で算出した画像形成装置１２０の消費予測電力量と目標時刻の設定欄６０２で設定された期間に画像形成装置が消費した累計消費電力量の和が使用可能電力量設定欄６０３で登録した電力量以内であるか判定する計算式である。使用可能電力量以内であれば印刷可能である。もし使用可能電力量を超えてしまった場合は、印刷不可となる。
【００５３】
［本実施例１の制御処理手順を表すフローチャート］
図８を用いて、本実施例１の制御処理手順を表すフローチャートを説明する。
【００５４】
図８は画像形成装置１２０が印刷ジョブを出力するときの処理手順を示すフローチャートである。
画像形成装置１２０が起動すると、ＲＯＭ４１２に格納された制御プログラムに基づいてＣＰＵ４１１は、ＲＡＭ４１３内に格納されている印刷ジョブの有無を確認する（Ｓ８０１）。もし印刷ジョブがなければ、ＲＯＭ４１２に格納された制御プログラムに基づいてＣＰＵ４１１は、印刷ジョブの受信待ちの準備をする（Ｓ８０２）。もし印刷ジョブがあれば、ＲＯＭ４１２に格納された制御プログラムに基づいてＣＰＵ４１１は、印刷ジョブの出力設定をデータ記憶部４５０に保持されている消費電力量一覧５０１と照らし合わせて、消費予測電力量の計算を行う（Ｓ８０４）。
【００５５】
次にＲＯＭ４１２に格納された制御プログラムに基づいてＣＰＵ４１１は、データ記憶部４５０に保持されている累積消費電力量を取り出す。そして累積消費電力量と消費予測電力量の和が使用可能電力量設定欄６０３の設定でされた使用可能電力量との大小関係を比較する（Ｓ８０５）。もしＳ８０５の比較結果が累積消費電力量と消費予測電力量の和が使用可能電力量より小さい場合は、印刷ジョブを出力可能ジョブと判断する（Ｓ８０６）。そしてＲＯＭ４１２に格納された制御プログラムに基づいてＣＰＵ４１１は、出力可能ジョブと判断された印刷ジョブの印刷処理を行う（Ｓ８０７）。もしＳ８０５の比較結果が累積消費電力量と消費予測電力量の和が使用可能電力量より大きい場合は、出力不可能ジョブと判断し出力処理を行なわずＳ８０８に進む。
【００５６】
次に現時点の累計電力消費量を消費電力処理部４３５から情報を取り寄せ、データ記憶部４５０の情報を更新する（Ｓ８０８）。そして累計電力消費量がユーザーの設定した使用可能電力量より小さければＳ８０１にＲＯＭ４１２に格納された制御プログラムに基づいてＣＰＵ４１１は、処理を戻る（Ｓ８０９）。もし累計電力消費量がユーザーの設定した使用可能電力量より大きければ処理を終了する。
【００５７】
［本実施例１のジョブの消費予測電力量  計算を表すフローチャート］
図９を用いて、本実施例１のジョブの消費予測電力量  計算を表すフローチャートを説明する。図９は画像形成装置１２０が印刷ジョブの消費予測電力量を算出するときの処理手順を示すフローチャートである。
【００５８】
ＲＡＭ４１３内に格納されている印刷ジョブがあるならば、ＲＯＭ４１２に格納された制御プログラムに基づいてＣＰＵ４１１は、印刷ジョブの分析を行う（Ｓ９０１）。印刷ジョブに含まれる出力頁数、面付け方法、給紙先、出力先、フィニッシング方法などの情報を分析する。
【００５９】
次にＲＯＭ４１２に格納された制御プログラムに基づいてＣＰＵ４１１は分析した情報を取り出し、ＲＡＭ４１３に一時格納する（Ｓ９０２）。そしてＲＯＭ４１２に格納された制御プログラムに基づいてＣＰＵ４１１は、現時点で画像形成装置１２０に接続されている複数の給紙装置と排紙装置の情報をデータ記憶部４５０から取り出し、ＲＡＭ４１３に一時格納する（Ｓ９０３）。
【００６０】
次にＲＯＭ４１２に格納された制御プログラムに基づいてＣＰＵ４１１は、ＲＡＭ４１３に一時格納した印刷ジョブの情報から印刷ジョブのページ数と面付け方法を取り出し、印刷ジョブの印刷予測時間と出力用紙枚数を算出する（Ｓ９０４）。
【００６１】
次にＲＯＭ４１２に格納された制御プログラムに基づいてＣＰＵ４１１は、Ｓ９０２でＲＡＭ４１３に一時格納した出力先情報と画像形成装置１２０に接続されている複数の給紙装置と排紙装置の情報から搬送経路を割り出す。そしてＳ９０４で算出した出力用紙枚数を用いて、搬送予測時間を算出する（Ｓ９０５）。
【００６２】
次にＲＯＭ４１２に格納した出力先情報からフィニッシング情報を取り出し、そのフィニッシング情報と一意に紐づくフィニッシング機能の消費予測電力量を図５の表を用いて算出する。次にＳ９０４で算出した印刷予測時間と出力用紙枚数のから印刷時の消費予測電力量を算出する。次にＳ９０５で算出した搬送予測時間と印刷ジョブが通過する搬送経路で消費される消費電力量から搬送時の消費予測電力量を算出する。そしてフィニッシング機能の消費予測電力量と印刷時の消費予測電力量と搬送時の消費予測時間の総和を算出する（Ｓ９０６）。
【００６３】
［本実施例１の出力例］
図１０は本実施例１の出力例１００１である。例えば使用可能電力量まで残り７５．９Ｗｈで、投入されている複数のジョブを処理するのにそれぞれ３０Ｗｈ，２０．８Ｗｈ，３９．２Ｗｈ，２０．８Ｗｈ，３０．０Ｗｈの電力が必要な場合について一例をあげる。残りの消費電力量で使用可能な印刷ジョブとして３０Ｗｈ，２０．８Ｗｈ，２０．８Ｗｈを選択して出力する。または印刷順を３０Ｗｈ，２０．８Ｗｈ，２０．８Ｗｈ，３９．８Ｗｈ，３０．０Ｗｈの順に並べ替えて、使用可能な電力量の範囲内で多くのジョブが処理できるように出力する。
【実施例２】
【００６４】
［本実施例２の制御処理手順を表すフローチャート］
本実施例１は出力可能の有無を判定して出力可能なジョブのみを出力していたが、本実施例２は出力不可能なジョブの処理について説明する。
【００６５】
図１１を用いて、本実施例２の制御処理手順を表すフローチャートを説明する。図１１は画像形成装置１２０が印刷ジョブを出力するときの処理手順を示すフローチャートである。画像形成装置１２０が起動すると、ＲＯＭ４１２に格納された制御プログラムに基づいてＣＰＵ４１１は、
ＲＡＭ４１３内に格納されている印刷ジョブの有無を確認する（Ｓ８０１）。もし印刷ジョブがなければ、ＲＯＭ４１２に格納された制御プログラムに基づいてＣＰＵ４１１は、印刷ジョブの受信待ちの準備をする（Ｓ８０２）。もし印刷ジョブがあれば、ＲＯＭ４１２に格納された制御プログラムに基づいてＣＰＵ４１１は、印刷ジョブの出力設定をデータ記憶部４５０に保持されている消費電力量一覧５０１と照らし合わせて、消費予測電力量の計算を行う（Ｓ８０４）。
【００６６】
次にＲＯＭ４１２に格納された制御プログラムに基づいてＣＰＵ４１１は、データ記憶部４５０に保持されている累積消費電力量を取り出す。そして累積消費電力量と消費予測電力量の和が使用可能電力量設定欄６０３の設定でされた使用可能電力量との大小関係を比較する（Ｓ８０５）。もしＳ８０５の比較結果が累積消費電力量と消費予測電力量の和が使用可能電力量より小さい場合は、印刷ジョブを出力可能ジョブと判断する（Ｓ８０６）。そしてＲＯＭ４１２に格納された制御プログラムに基づいてＣＰＵ４１１は、出力可能ジョブと判断された印刷ジョブの印刷処理を行う（Ｓ８０７）。もしＳ８０５の比較結果が累積消費電力量と消費予測電力量の和が使用可能電力量より大きい場合は、出力不可能ジョブと判断し出力処理を行なわずＳ１１０１に進む。ＲＯＭ４１２に格納された制御プログラムに基づいてＣＰＵ４１１は、ＲＡＭ４１３に一時保持されている印刷ジョブの情報を用いて、印刷ジョブがセキュアジョブであるか否かを判断する（Ｓ１１０１）。セキュアジョブでなければ、ＲＯＭ４１２に格納された制御プログラムに基づいてＣＰＵ４１１は、印刷ジョブを画像形成装置１２０のデータ記憶部４５０に保存し、後日出力ができるように保持し、Ｓ８０９に進む（Ｓ１１０２）。もしセキュアジョブであれば、セキュリティの観点から画像形成装置１２０のデータ記憶部４５０に保存できないため、印刷ジョブをキャンセルし、Ｓ９０８に進む（Ｓ１１０３）。
【００６７】
次に現時点の累計電力消費量を消費電力処理部４３５から情報を取り寄せ、データ記憶部４５０の情報を更新する（Ｓ８０８）。そして累計電力消費量がユーザーの設定した使用可能電力量より小さければＳ８０１にＲＯＭ４１２に格納された制御プログラムに基づいてＣＰＵ４１１は、処理を戻る（Ｓ８０９）。もし累計電力消費量がユーザーの設定した使用可能電力量より大きければ処理を終了する。
【００６８】
［本実施例２の出力例］
図１２は本実施例２の出力例１２０１である。例えば使用可能電力量まで残り７５．９Ｗｈの電力で、投入されている複数のジョブを処理するのにそれぞれ３０Ｗｈ，２０．８Ｗｈ，３９．２Ｗｈ，２０．８Ｗｈ，３０．０Ｗｈの電力が必要な場合について、一例をあげる。残りの電力量で使用可能な３０Ｗｈ，２０．８Ｗｈ，２０．８Ｗｈの印刷ジョブを選択して出力する。出力ができなかった３９．８Ｗｈ，３０．０Ｗｈの印刷ジョブは印刷ジョブに付随する情報をもとにジョブの保持・キャンセルを実行する。
【００６９】
［本実施例３の消費予測電力量の算出］
次に本実施例３のシステム構成上で動作する消費電力量の予測の算出ロジックについて説明する。図１３と図１４は画像形成装置１２０における消費予測電力量の算出を示す図である。式７０１、式７０２、式１３０１、式１３０２、式１３０３、式１３０４は、画像形成装置１２０に投入された印刷原稿に指示された出力方法で出力した場合に消費される消費電力量の予想値を算出する数式である。
【００７０】
式７０１は、印刷原稿を出力に要する出力時間を示す。例えば、画像形成装置１２０が１００ＰＰＭの速度で出力する装置のときに、１００ページの印刷原稿が投入された場合、出力時間は
Ｐａｇｅ数  ÷  ＰＰＭ  ÷  ６０（分）  ＝  １００頁  ／  １００ＰＰＭ  ／  ６０分  ＝  １／６０時間
となる。
【００７１】
式７０２は、画像形成装置１２０が印刷原稿を消費する消費電力量を示す。例えば画像形成装置１２０が１００ＰＰＭの速度で出力する装置のときに、ＰＯＤデッキ内に保持されている記録メディアを使って１００ページの印刷原稿をステープル製本として出力する場合、
（ＰＯＤデッキから給紙にかかる電力量Ｘ出力時間）＋（印刷にかかる電力量Ｘ出力時間）＋（ステープル製本処理ができる後処理装置までに通過する４つの装置の搬送電力量Ｘ出力時間）＋（（Ｆｉｎｉｓｈｉｎｇで使用する電力量と排紙トレイ出力時の電力量）Ｘ出力時間）＝（２５０Ｗ  ｘ  １／６０）＋（４００Ｗ  ｘ  １／６０）＋（５０Ｗ  ｘ  ４つの装置ｘ  １／６０）  ＋  （（２０Ｗ＋１５０Ｗ）  ｘ  １／６０）  ＝１７Ｗｈ
となる。
【００７２】
式１３０１は、式７０２で算出した画像形成装置１２０の消費予測電力量と目標時刻の設定欄６０２で設定された期間に画像形成装置が消費した累計消費電力量の和が使用可能電力量設定欄６０３で登録した電力量以内であるか判定する計算式である。使用可能電力量以内であれば印刷可能である。もし使用可能電力量を超えてしまった場合は、印刷不可となり、印刷が実行できるように代替の設定変更を模索する。
【００７３】
式１３０２は、現在の装置構成において最小構成で出力できるときの消費予測電力量を示す。
【００７４】
代替フィニッシングで使える消費電力量を算出するためにまずは最小構成で出力できる印刷ジョブの消費予測電力量を算出する。例えば図５を参考に画像形成装置１２０が、１００ＰＰＭの速度で出力する装置で、最小消費電力量で出力できる方法が２つの後処理装置をジョブが通過し、３番目の装置に１００ページの印刷原稿を出力する場合、
（本体デッキから給紙にかかる電力量Ｘ出力時間＋印刷にかかる電力量Ｘ出力時間＋最小消費電力量となる構成２つの後処理装置をジョブが通過するときの搬送電力量Ｘ出力時間）＋（排紙トレイＸ出力時間））＝（２００Ｗ  ｘ  １／６０）＋（４００Ｗ  ｘ  １／６０）＋（５０Ｗ  ｘ  ２つの装置ｘ  １／６０）  ＋  （１５０Ｗ  ｘ  １／６０）  ＝１３Ｗｈ
となる。
【００７５】
式１３０３は、代替可能なフィニッシング機能の算出方法を示す。残りの使用可能電力量と式１３０２で算出した最小構成で消費する消費予測電力量の差が代替するフィニッシングで利用できる最大の消費電力量となる。例えば、残り１５Ｗｈの電力量を利用できる場合を一例にあげる。前述のジョブでは２Ｗｈを１／６０時間使用する印刷ジョブが使われるため１２０Ｗのフィニッシング機能が利用できる。１２０Ｗ以内の消費電力量で利用できるフィニッシング機能は、図１４を参考にすると、折り機１４０１が利用可能である。
【００７６】
［本実施例３の制御処理手順を表すフローチャート］
図１５を用いて、本実施例３の制御処理手順を表すフローチャートを説明する。図１５は画像形成装置１２０が印刷ジョブを出力するときの処理手順を示すフローチャートである。
【００７７】
画像形成装置１２０が起動すると、ＲＯＭ４１２に格納された制御プログラムに基づいてＣＰＵ４１１は、ＲＡＭ４１３内に格納されている印刷ジョブの有無を確認する（Ｓ８０１）。もし印刷ジョブがなければ、ＲＯＭ４１２に格納された制御プログラムに基づいてＣＰＵ４１１は、印刷ジョブの受信待ちの準備をする（Ｓ８０２）。もし印刷ジョブがあれば、ＲＯＭ４１２に格納された制御プログラムに基づいてＣＰＵ４１１は、印刷ジョブの出力設定をデータ記憶部４５０に保持されている消費電力量一覧５０１と照らし合わせて、消費予測電力量の計算を行う（Ｓ８０４）。
【００７８】
次にＲＯＭ４１２に格納された制御プログラムに基づいてＣＰＵ４１１は、データ記憶部４５０に保持されている累積消費電力量を取り出す。そして累積消費電力量と消費予測電力量の和が使用可能電力量設定欄６０３の設定でされた使用可能電力量との大小関係を比較する（Ｓ８０５）。もしＳ８０５の比較結果が累積消費電力量と消費予測電力量の和が使用可能電力量より小さい場合は、印刷ジョブを出力可能ジョブと判断する（Ｓ８０６）。そしてＲＯＭ４１２に格納された制御プログラムに基づいてＣＰＵ４１１は、出力可能ジョブと判断された印刷ジョブの印刷処理を行う（Ｓ８０７）。もしＳ８０５の比較結果が累積消費電力量と消費予測電力量の和が使用可能電力量より大きい場合は、出力不可能ジョブと判断し出力処理を行なわずＳ１５０１に進む。ＲＯＭ４１２に格納された制御プログラムに基づいてＣＰＵ４１１は、ＲＡＭ４１３に一時保持されている現在の装置構成での最小消費電力で出力できるときの消費予測電力量の算出を行う（Ｓ１５０１）。
【００７９】
次にＲＯＭ４１２に格納された制御プログラムに基づいてＣＰＵ４１１は、残りの使用可能電力量で使用できるフィニッシング機能の算出を行う（Ｓ１５０２）。次にＲＯＭ４１２に格納された制御プログラムに基づいてＣＰＵ４１１は、選択可能なフィニッシング機能の有無を判定する（Ｓ１５０３）。選択可能なフィニッシング機能がない場合は印刷不可でＳ８０９に進む。もし選択可能なフィニッシング機能がある場合はＳ１５０４に進む。ＲＯＭ４１２に格納された制御プログラムに基づいてＣＰＵ４１１は、後述する１６０１で設定された値に設定を変更するようにユーザーに通知を行う（Ｓ１５０４）。そしてユーザーが変更を了承した場合は、ＲＯＭ４１２に格納された制御プログラムに基づいてＣＰＵ４１１は、Ｓ８０７に移動し出力処理する（Ｓ１５０５）。変更を拒絶した場合はＲＯＭ４１２に格納された制御プログラムに基づいてＣＰＵ４１１は、出力処理をせずにＳ８０９に移動する。
【００８０】
［本実施例３の設定変更画面１６０１］
図１６は本実施例３の変更できるフィニッシング機能を示す設定変更画面である。設定変更画面１６０１は、Ｓ１５０４によって、設定変更として印刷ジョブのフィニッシング機能の変更をすれば使用可能電力量の範囲内に収まる場合に設定変更できる項目の一覧を表示する。ユーザーが設定変更画面１６０１において、代替機能を選択することによって、ＲＯＭ４１２に格納された制御プログラムに基づいてＣＰＵ４１１が、印刷ジョブの設定を書き換える。
【００８１】
［本実施例３の出力例］
図１７は本実施例３の出力例１７０１である。例えば使用可能電力量まであと７５．９Ｗｈの電力が残っているときに、現在の投入されているジョブを処理するのにそれぞれ３０Ｗｈ，２０．８Ｗｈ，３９．２Ｗｈ，２０．８Ｗｈ，３０．０Ｗｈの電力が必要な場合を一例にあげる。残りの電力量で使用可能な印刷ジョブとして１７０２の３０．０Ｗｈのジョブと１７０３の２０．８Ｗｈのジョブは使用可能電力値以内なので出力する。１８０４の３９．８Ｗｈのジョブはそのままでは、使用可能電力値を超えてしまうので、設定変更画面１７０１で変更可能なフィニッシング機能をユーザーに通知し、変更した設定が使用可能電力値以内なら出力する。
【符号の説明】
【００８２】
１００  エンドユーザー環境
１１０  プライベートネットワーク環境
１２０  画像形成装置
【図１】
2015166950.tif 000003
【図２】
2015166950.tif 000004
【図３】
2015166950.tif 000005
【図４】
2015166950.tif 000006
【図５】
2015166950.tif 000007
【図６】
2015166950.tif 000008
【図７】
2015166950.tif 000009
【図８】
2015166950.tif 000010
【図９】
2015166950.tif 000011
【図１０】
2015166950.tif 000012
【図１１】
2015166950.tif 000013
【図１２】
2015166950.tif 000014
【図１３】
2015166950.tif 000015
【図１４】
2015166950.tif 000016
【図１５】
2015166950.tif 000017
【図１６】
2015166950.tif 000018
【図１７】
2015166950.tif 000019